(57)【要約】【課題】画面の明るさが改善したデジタル画像投影装置を提供する。【解決手段】画像投影装置３０は、光源４０と、光源４０からの光路上に配置され、光を所定の画像信号によって変調するプリズム全反射変調デバイス４６とを含む。プリズム全反射変調デバイス４６は、光源からの光が入射するように配置された入射面と、入射面から入射した光を所定方向に全反射するように配置された全反射面とを有するプリズム８０と、プリズム８０の全反射面上に配置され、全反射面において光を全反射させるか否かを個別に制御する複数の全反射制御素子８２と、画像信号にしたがって、全反射制御素子８２を個別に駆動するドライバとを含む。【選択図】図１
2007225910.tif 000002
【特許請求の範囲】
【請求項１】
所定方向に光を出射するように配置された光源と、
前記光源から出射される光の光路上に配置され、前記光を所定の画像信号によって変調するためのプリズム全反射変調手段とを含む画像投影装置であって、
前記プリズム全反射変調手段は、
前記光源からの光が入射するように配置された入射面と、前記入射面から入射した光を所定方向に全反射するように配置された全反射面とを有するプリズムと、
前記プリズムの前記全反射面上に配置され、前記全反射面において光を全反射させるか否かを個別に制御する複数の全反射制御素子と、
画像信号にしたがって、前記全反射制御素子を個別に駆動するための駆動手段とを含む、画像投影装置。
【請求項２】
前記全反射制御素子の各々は、前記プリズムの前記全反射面上に配置され、前記全反射面に密着する第１の姿勢と、前記全反射面との間に所定の空隙をあける第２の姿勢とのいずれかを選択的にとる制御面を有するマイクロ画素アクチュエータを含む、請求項１に記載の画像投影装置。
【請求項３】
前記プリズムは、三角柱形のプリズムを含む、請求項１に記載の画像投影装置。
【請求項４】
前記全反射制御素子は、前記全反射面上に、マトリクス状に配置されている、請求項１〜請求項３のいずれかに記載の画像投影装置。
【発明の詳細な説明】
【技術分野】
【０００１】
この発明は画像投影装置に関し、特に、光源からの光を有効に利用し、高精細な画面を投影できる画像投影装置に関する。
【背景技術】
【０００２】
画像投影装置として最近普及しつつあるタイプに、ＤＭＤ（デジタル・マイクロミラー・デバイス）と呼ばれる、微小ミラー表示素子を使用したデジタル画像投影装置がある。
【０００３】
ＤＭＤは、半導体技術を駆使して作成された光学デバイスであって、１ｃｍ〜２ｃｍ四方程度の範囲に敷き詰められた、例えば１２８０×７２０個の、互いに独立に制御可能なマイクロミラーからなっている。各マイクロミラーは、例えば±１２度という二つの角度の一方の姿勢をとることができる。したがって、各マイクロミラーの姿勢は、デジタル信号で制御できる。例えば入力されるデジタル信号の値が＋１であればマイクロミラーは＋１２度の姿勢をとり、デジタル信号の値が０であればマイクロミラーは−１２度の姿勢をとる。この角度は、半導体技術によって作成されるため非常に精密である。
【０００４】
このマイクロミラーを敷き詰めたアレイにおいて、個々のマイクロミラーの姿勢を画像信号の画素値に応じて変化させる。全てのマイクロミラーに光が入射するが、＋１２度の姿勢のミラーは所定の方向にその光を反射するのに対し、−１２度の姿勢のミラーはその方向とは異なる方向に光を反射する。所定の方向にスクリーンを配置しておけば、スクリーン上には、ミラーによって反射された光によって元の画像信号に応じた像が形成される。この像の各画素が、一つ一つのマイクロミラーにより形成される。
【０００５】
多階調を実現するためには、単位時間中での、各マイクロミラーが＋１２度の姿勢をとる時間の割合を制御する。マイクロミラーが＋１２度の姿勢をとる時間の割合が長ければ、対応する画素の輝度は高く、明点となる。単位時間の全てにわたりマイクロミラーが−１２度の姿勢をとれば、対応する画素は暗点となる。これらマイクロミラーを制御する信号は、マイクロミラーの直下に配置されたＳＲＡＭ（スタティック・ランダム・アクセス・メモリ）に記憶され、マイクロミラーの駆動部に供給される。
【０００６】
ＤＭＤを用いてカラー画像を実現するための方式としては、大きく分けて二つがある。第１は、単一のＤＭＤを用い、時分割で各色の画像信号を投影する方式である。この場合、時分割で光の三原色を生成するために、光路中に、画像信号と同期して回転するカラーホイールが挿入されることが一般的である。第２は、プリズムを用いて光を３原色の光に分割し、各光ごとに、画像信号に対応して動作するＤＭＤによる空間変調を加え、最後にこれら３原色の光を統合する方式である。前者は比較的小型の装置に用いられ、後者は大型の装置に用いられる。
【０００７】
ＤＭＤを用いた画像投影装置に関する従来技術文献として、以下にあげるものがある。
【特許文献１】特開２００５−９２２０６号公報（図２）
【非特許文献１】新地  修、林田正尚、「ディジタル・マイクロミラー・デバイス（DMD）TM」、掲載年月日不明、［ｏｎｌｉｎｅ］、リアライズ・アドバンストテクノロジ株式会社、［２００６年２月１３日検索］、インターネット（ＵＲＬ：http://www.r-sipec.jp/items/bt/112/5/index.html）
【発明の開示】
【発明が解決しようとする課題】
【０００８】
上記したＤＭＤを用いたデジタル画像投影装置において、画像信号の映写に用いられる光は、ＤＭＤの各マイクロミラー表面により反射される。その反射率は高く（非特許文献１によると９０％以上）、反射に用いられる有効面積も大きい。液晶シャッターを用いた画像投影装置のような透過型のものと比較して、光のロスは小さく、より明るい画面を実現できる。
【０００９】
しかし、ＤＭＤを用いたデジタル画像投影装置では、マイクロミラー表面の反射率が問題となる。現状でも反射率は高いものの、この反射率をさらに高めることができれば好ましい。しかし、半導体プロセスを用いてマイクロミラーを形成する関係から、利用できる材料が限られ、その結果、反射率をさらに高めることには多くの困難が予想される。
【００１０】
さらに、ＤＭＤを用いたデジタル画像投影装置では、マイクロミラーの姿勢の精度が問題となる。特に、明点を投射する際のＤＭＤの位置が精度高く決められればよいが、ＤＭＤを所定の位置で受け止めるストッパの精度が低かったり、ストッパ表面にほこりがあったりすると、ＤＭＤによる反射光の位置が通常と異なり、画像に乱れが生じてしまう。
【００１１】
また、ＤＭＤを用いたデジタル画像投影装置では、多数のマイクロミラーを用いて個別の画素を描画する。マイクロミラーは半導体プロセスで作成され、表面には金属層が形成されるが、その仕上げのばらつきにより、マイクロミラーの反射率にもばらつきが生じる可能性がある。反射率のばらつきは画質の低下をもたらす。
【００１２】
したがって本発明の目的は、従来のＤＭＤを用いた装置よりも画面の明るさが改善したデジタル画像投影装置を提供することである。
【００１３】
本発明の他の目的は、従来のＤＭＤを用いた装置よりも画面の明るさが改善され、かつ画像の乱れも少ないデジタル画像投影装置を提供することである。
【００１４】
本発明のさらに他の目的は、従来のＤＭＤを用いた装置よりも画面の明るさが改善され、画像の乱れも少なく、かつ高画質で画像を投影できるデジタル画像投影装置を提供することである。
【課題を解決するための手段】
【００１５】
本発明の第１の局面に係る画像投影装置は、所定方向に光を出射するように配置された光源と、光源から出射される光の光路上に配置され、光を所定の画像信号によって変調するためのプリズム全反射変調手段とを含む画像投影装置であって、プリズム全反射変調手段は、光源からの光が入射するように配置された入射面と、入射面から入射した光を所定方向に全反射するように配置された全反射面とを有するプリズムと、プリズムの全反射面上に配置され、全反射面において光を全反射させるか否かを個別に制御する複数の全反射制御素子と、画像信号にしたがって、全反射制御素子を個別に駆動するための駆動手段とを含む。
【００１６】
光源から出射される光は、プリズム全反射変調手段にその入射面から入射した後、全反射面に到達する。全反射面に配置された全反射制御素子の各々は、駆動手段によって個別に制御され、ある素子はその位置に入射する光が全反射面で反射されないようにし、他の素子はその位置に入射する光を全反射面で全反射させる。全反射された光のみが、所定方向に進み、画像を結ぶ。したがって、駆動手段が画像信号にしたがい全反射制御素子を駆動することにより、所定位置に画像が形成される。プリズムの全反射面での全反射により光が反射されるので、従来のＤＭＤの反射面による場合よりも高い反射率を実現できる。その結果、従来のＤＭＤを用いた装置よりも画面の明るさが改善した画像投影装置を提供できる。
【００１７】
好ましくは、全反射制御素子の各々は、プリズムの全反射面上に配置され、全反射面に密着する第１の姿勢と、全反射面との間に所定の空隙をあける第２の姿勢とのいずれかを選択的にとる制御面を有するマイクロ画素アクチュエータを含む。
【００１８】
マイクロミラーデバイスという既存の技術を、プリズムの全反射の制御のためのマイクロ画素アクチュエータに利用できる。この場合の反射方向はプリズムの全反射面のみによって定まり、マイクロ画素アクチュエータの姿勢の制御の精度には影響されない。プリズムの全反射面を精度高く作成する技術は確立されており、反射光は高い精度で所定の方向に進む。したがって、従来のＤＭＤを用いた装置よりも改善した画面の明るさを有し、かつ画像の乱れも少ない画像投影装置を提供できる。
【００１９】
さらに好ましくは、プリズムは、三角柱形のプリズムを含む。
三角柱形のプリズムは、作成も容易で全反射面の反射精度も高くできる。その結果、経済的に、高い反射率で画像の乱れも少ない画像投影装置を提供できる。
【００２０】
全反射制御素子は、全反射面上に、マトリクス状に配置されていてもよい。
マトリクス状に配置された全反射制御素子により、マトリクス状に配置された画素からなる画像信号の個別の画素の全反射を制御できる。その結果、既存の画像信号を容易に処理できる画像投影装置を提供できる。
【発明を実施するための最良の形態】
【００２１】
［第１の実施の形態］
＜構成＞
図１に本発明の第１の実施の形態に係るデジタル画像投影装置３０の要部の斜視図を、図２にこのデジタル画像投影装置３０のブロック図を、それぞれ示す。なお、デジタル画像投影装置３０はビデオ信号から投影を行なうこともできるが、以下の説明ではパーソナルコンピュータ等、他のデジタル装置から所定のエンコード方式で符号化されたデジタル画像信号を受け取ってスクリーンに投影する場合について説明する。
【００２２】
図１及び図２を参照して、本実施の形態に係るデジタル画像投影装置３０は、光をマイクロミラーで直接反射するＤＭＤに代えて、ＤＭＤと類似したデジタルマイクロ画素アクチュエータ（以下「ＤＭＰＡ」と呼ぶ。）でプリズムの全反射を制御することにより、光を画像信号で変調するプリズム全反射変調デバイス４６を使用する。ＤＭＰＡは、ＤＭＤと同様の原理で動作するが、マイクロミラーの位置に、光を反射する機能を特に持たない全反射制御板と呼ばれる板を持つ点で異なる。
【００２３】
特に図２を参照して、デジタル画像投影装置３０は、プリズム全反射変調デバイス４６に加え、無線通信により他の装置からデジタル画像信号を受信するための無線通信部９０と、無線通信部９０が受信したデジタル画像信号をデコードするためのデコーダ９２と、デコーダ９２の出力する画像信号に対し、スケーリング及びガンマ補正等のデジタル信号処理をフレームごとに行なうための信号処理部９４と、信号処理部９４の出力する画像信号を記憶するフレームメモリ９６と、フレームメモリ９６に記憶された１フレーム分の画像信号を読出してプリズム全反射デバイス４６を駆動するためのドライバ９８とを含む。
【００２４】
スケーリングとは、入力される画像信号の水平及び垂直画素数を、プリズム全反射変調デバイス４６に使用されるＤＭＰＡの画素数に合致するように画素変換する信号処理のことである。
【００２５】
図１及び図２を参照して、デジタル画像投影装置３０はさらに、プリズム全反射変調デバイス４６に向けて光を出射する光源４０と、光源４０から出射される光線の光路に配置されたカラーホイール４２と、カラーホイール４２とプリズム全反射変調デバイス４６との間の光路に配置されたコンデンサレンズ４４と、光源４０から出射され、カラーホイール４２及びコンデンサレンズ４４を経てプリズム全反射変調デバイス４６により反射される光の光路上に配置された、投影用の光学系４８と、カラーホイール４２を回転させるためのモータ１００とを含む。ドライバ９８は、プリズム全反射変調デバイス４６とともにモータ１００も画像信号と同期して回転するように制御する機能を持つ。
【００２６】
カラーホイール４２は、本実施の形態では、それぞれ赤（Ｒ）、緑（Ｇ）及び青（Ｂ）の３原色のフィルタ６０，６２及び６４を含む。これらフィルタ６０，６２及び６４は、各色について２枚ずつ、合計６枚用意され、モータ１００により回転して光源４０からの光を赤、緑、青の３原色のカラー光とする。
【００２７】
図３にプリズム全反射変調デバイス４６の背面図を、図４にプリズム全反射変調デバイス４６の平面図を、それぞれ示す。図１〜図４を参照して、プリズム全反射変調デバイス４６は、三角柱形をしたプリズム８０を含む。特に図３及び図４を参照して、プリズム８０は、光源４０からの光の入射面１２０と、入射面１２０からプリズム内に入射した光をそれぞれ全反射するような角度で構成された二つの全反射面１２２及び１２４とを有する。全反射面１２４の、全反射面１２２からの光が入射する領域上には、全反射面１２４における光の全反射を制御するためのＤＭＰＡ８２が設けられている。
【００２８】
光源４０、コンデンサレンズ４４、及びプリズム全反射変調デバイス４６は、互いに次のような配置となっている。すなわち、光源４０から出射された光はカラーホイール４２及びコンデンサレンズ４４を経てプリズム全反射変調デバイス４６の入射面１２０に入射し、全反射面１２２で反射されて全反射面１２４のＤＭＰＡ８２が配置された領域に入射する。仮に全反射面１２４でこの光が全反射された場合、その光は投影用の光学系４８を経て所定の投影面（図示せず）に投影される。
【００２９】
図５に、ＤＭＰＡ８２上の全反射制御板が配置された面（以下これを「活性面」と呼ぶ。）１３０と全反射面１２４との界面付近の断面を拡大して示す。図５を参照して、ＤＭＰＡ８２の活性面１３０には、従来のＤＭＤのマイクロミラーと同様、多数の全反射制御板１４０、１４２、１４４、１４６、１４８がマトリクス状に配列されている。全反射制御板１４０、１４２、１４４、１４６、１４８の各々は、前述した従来のＤＭＤのマイクロミラーと同じく、独立に制御可能であり、ドライバ９８により与えられる制御信号に応じ、基準となる位置に対して±１２度のいずれかの姿勢をとる。本実施の形態では、全反射制御板が−１２度の位置をとるとき、マイクロミラーの反射面に相当する面（以下「制御面」と呼ぶ。）が全反射面１２４に密着し、＋１２度の位置をとるとき、制御面が全反射面１２４に対して２４度の角度をなすような姿勢となる。
【００３０】
図５に示す例では、全反射制御板１４０、１４４、及び１４８が前者の位置（−１２度）にあり、全反射制御板１４２及び１４６が後者の位置（＋１２度）にある。
【００３１】
図５を参照して、一般的に、プリズムの全反射面に関しては、全反射面１２４に密着したものが存在している場合には全反射が起こらず、空間が存在している場合には、屈折率の相違に基づいて全反射が起こることが知られている。したがって、図５に示す例では、全反射制御板１４０、１４４、及び１４８の制御面が全反射面１２４に密着しているため、これらの位置では全反射が起こらず、全反射制御板１４２及び１４６では制御面と全反射面１２４との間に空間があるため、全反射が生じる。
【００３２】
すなわち、各全反射制御板は、全反射面１２４における各画素を表す光を全反射させるか否かを個別に制御する素子として機能する。
【００３３】
本実施の形態では、このようにして、ＤＭＰＡ８２の制御面で光を反射することによるのではなく、ＤＭＰＡ８２の制御面でプリズム８０の全反射面１２４において光を全反射させるか否かを制御することにより、対応する画素の明るさを定める。もちろん、従来の技術と同様、単位時間あたりで全反射制御板が全反射面１２４から離れている時間の割合を時分割で制御することにより、対応画素の輝度を制御し、多階調の画像を投影できる。その上、カラーホイール４２（図１参照）により時分割で３原色の階調をそれぞれ制御することにより、カラー画像を投影できる。
【００３４】
＜動作＞
上記したデジタル画像投影装置３０は以下のように動作する。図１〜図５を参照して、光源４０が出射した光はカラーホイール４２のフィルタ部分に入射する。カラーホイール４２は、画像信号のフレーム信号に同期して回転するように、ドライバ９８により制御されている。例えば、画像信号の１フレームあたりカラーホイール４２が６回転するようにする。カラーホイール４２の回転速度をこの程度とすることにより、各色についての情報が１フレームあたり１２回に分散して投影される。したがって、ユーザがまばたきをしたために特定の色情報が欠落して感じられてしまう、という現象を避けることができる。
【００３５】
カラーホイール４２を透過した光は、コンデンサレンズ４４を経てプリズム全反射変調デバイス４６の入射面１２０（図３及び図４参照）からプリズム全反射変調デバイス４６のプリズム８０に入射する。光はさらに全反射面１２２で全反射され、全反射面１２４のＤＭＰＡ８２が設けられた領域に入射する。
【００３６】
図２に示すドライバ９８は、画像信号のＲＧＢの原色成分ごとに、その階調にしたがい、ＤＭＰＡ８２の各全反射制御板が全反射面１２４と密着する姿勢をとる時間の割合を制御する。全反射制御板が全反射面１２４から離隔すると、その点では光は全反射面１２４で全反射し、投影用の光学系４８を得て投影面に投影される。全反射制御板が全反射面１２４に密着すると、その点では光は全反射しない。したがって、この光は投影面に到達しない。こうして、ＲＧＢの原色成分ごとに、時分割でプリズム全反射変調デバイス４６により階調制御が行なわれる。投影面には、ＲＧＢごとに画像信号が時分割で投影されることになるが、人間の目にはこれらは十分に混合され、カラー画像として感じられる。
【００３７】
＜結論＞
以上のように本実施の形態によれば、ＤＭＤで直接に投影光を反射するかわりに、プリズムの全反射面において光を全反射させるか否かをＤＭＰＡで制御する。プリズムの全反射面については精度高く仕上げる技術が過去から蓄積されている。全反射面における光の反射の制御はＤＭＰＡにより制御されるが、その制御の態様は１又は０というデジタル形式のものでよい。ＤＭＰＡの姿勢そのものの精度がそれほど高くなくても、この技術による全反射の制御に与える影響は大きくない。したがって、ＤＭＤで直接光を反射するものと比較して、より精度が高い投影を行なうことができる。
【００３８】
さらに、デジタル画像投影装置３０では、プリズム８０の全反射面で光の全反射を行なう。ＤＭＤで直接光を反射する場合と比較して反射率が高く、かつ位置による反射率の変化も少ない。さらに、全反射面の大部分を反射面として利用可能なため、光の損失が少ない。その結果、より明るく、コントラストの高い画像の投影を高い画質で行なうことが可能になる。
【００３９】
また、上記実施の形態では、光の反射回数が２回であり、例えば特許文献１に記載のように多数のプリズム及びスプリッタを使用するものと比較して、光路における光の損失を少なくできる。そのため、光源４０からの光を有効に利用して、光量の大きな、明るい画像を投影できる。また同じ理由により、コストを下げることもできる。
【００４０】
なお、上記実施の形態では、カラーホイールを用いて時分割で３原色の変調を行なうデジタル画像投影装置３０を説明した。しかし本発明はそのような実施の形態に限定されるわけではない。光を３原色に分割した後、各原色別に上記したプリズム全反射変調デバイス４６で変調を行ない、さらにそれらを統合することでカラー画像を実現するようにしてもよい。
【００４１】
光源４０としては、一般的なハロゲン光源又はＬＥＤ（レーザダイオード）などを利用できる。
【００４２】
また、上記実施の形態では、プリズム８０として三角柱形状を持つものを使用した。しかし本発明はそのような実施の形態には限定されない。入射光と出射光の光路が互いに重ならないようなプリズムであれば、どのようなものでもよい。また、上記実施の形態では、光の光路は同一平面上であったが、光路が３次元的な経路をたどるものであってもよい。
【００４３】
上記実施の形態で説明したプリズム全反射変調デバイス４６は、従来技術のＤＭＤを用いた画像投影装置において、ＤＭＤに代えてそのまま使用できる。配置位置は従来のＤＭＤの位置とは変える必要があるが、その他の点では特に大きな変更を必要としない。したがって、従来技術を有効に利用しながら、より性能の高い画像投影装置を提供できる。また、ＤＭＰＡの全反射制御板はマトリクス状に配置されているため、マトリクス状に配置された画素からなる画像信号を容易に表現できる。
【００４４】
さらに、上記実施の形態では、全反射を制御するための素子としてＤＭＤに類似したＤＭＰＡを使用した。これも、従来の技術をそのまま有効に利用できるという点で有利である。しかし本発明はこのような実施の形態には限定されない。例えば、全反射面上に、各画素ごとに仕切りを設け、この中に表面張力の大きな液体を封入し、背面からピエゾ素子などを用いてこの液体を全反射面に押し付けてその接触面積を増加させたり、押圧力を取り除くことにより接触面積を小さくさせたりすることによって全反射を画素別に制御するようにしてもよい。
【００４５】
ＤＭＰＡのさらに他の例を図６に示す。図６に示すＤＭＰＡ１６０は、プリズム８０の全反射面１２４にマトリクス状に配置された複数の全反射制御板１９０，１９２，１９４，１９６及び１９８と、これら全反射制御板１９０，１９２，１９４，１９６及び１９８を個別に全反射面１２４から離隔させたり全反射面１２４に接触させたりするためのマイクロアクチュエータ１７０，１７２，１７４，１７６及び１７８とを含む。
【００４６】
全反射制御板１９０，１９２，１９４，１９６及び１９８をマイクロアクチュエータ１７０，１７２，１７４，１７６及び１７８によって個別に制御することにより、上記した実施の形態と同様、全反射制御板１９０，１９２，１９４，１９６及び１９８の位置で、全反射面１２４に到達する光を全反射するか否かを制御することができる。
【００４７】
ＤＭＰＡのさらに他の例を図７及び図８に示す。図７及び図８に示すＤＭＰＡ２４０は、電気的に制御されるのではなく、光により制御されるマイクロアクチュエータを用いるものである。特にポリジアセチレンと呼ばれる高分子化合物のように、光があたると変形するような性質を持つ物質を用いると、応答速度の高いアクチュエータを実現できる。
【００４８】
図７は、そうした光により制御されるマイクロアクチュエータを備えたＤＭＰＡ２４０の断面図である。図７を参照して、このマイクロアクチュエータは、プリズム全反射変調デバイスを構成するプリズム２５０の全反射面に配置されており、通常時にプリズム２５０の全反射面に密着するように配置される、薄くやや弾力のある、プリズム２５０の密度よりも高い密度を持つ物質からなる全反射制御体２５２と、全反射制御体２５２の、プリズム２５０と密着している面と反対側の面に接着された、前述のポリジアセチレンの薄膜２５４とを含む。全反射制御体２５２は、その周縁部分においてプリズム２５０の全反射面に接着されている。全反射制御体２５２としては、プリズム２５０の全反射面に密着でき、かつ後述するように変形したときに、全反射面との間に生じる空隙が全反射を阻害する程度の大きさとなる弾力性を有するものが用いられる。
【００４９】
図７に示されるように、第１の状態では全反射制御体２５２はプリズム２５０の全反射面に密着している。そのため、プリズム２５０に入射する光はプリズム２５０の全反射面で全反射されない。すなわちこの部分の光は投影面に到達しない。
【００５０】
ポリジアセチレンは、波長が４５０〜５５０ナノメートルの光を当てると体積が３％ほど増え、３５０〜４００ナノメートルの波長を持つ光を当てると元に戻る性質があることが知られている。
【００５１】
そこで、図７の状態において、全反射をさせる部分に対応する全反射制御体２５２には、裏面から４５０〜５５０ナノメートルの波長を持つ光をあてる。この部分では、ポリジアセチレンの薄膜２５４は体積が増加し、図８の中央に示すようにプリズム２５０の全反射面との間に空隙が生じる。したがって全反射制御体２５２の当該部分に入射する光は全反射される。
【００５２】
一方、全反射をさせない部分に対応する全反射制御体２５２には、裏面から３５０〜４００ナノメートルの波長を持つ光を当てる。すると、図８の左右の領域２５６及び２５８に示されるように、ポリジアセチレンの薄膜２５４は体積が減少し、したがって全反射制御体２５２は、その中央部がガラス面２５０に密着する様に変形する。その結果プリズム２５０の全反射面に入射する光は、全反射制御体２５２のこの領域２５６及び２５８では全反射されない。
【００５３】
このように光により変形する性質を持つ物質によって全反射制御体を駆動するようにすると、応答速度が高く、構造も比較的単純となる。また、全反射制御体を光により駆動するため、全反射制御体を電気信号で駆動するための配線が不要となる。したがって装置を一層小型化することができ、高密度で画像投影を行なうことができる画像投影装置を実現することが可能となる。
【００５４】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味および範囲内でのすべての変更を含む。
【図面の簡単な説明】
【００５５】
【図１】本発明の一実施の形態に係るデジタル画像投影装置３０の要部構成を示す模式図である。
【図２】デジタル画像投影装置３０のブロック図である。
【図３】プリズム全反射変調デバイス４６の背面図である。
【図４】プリズム全反射変調デバイス４６の平面図である。
【図５】ＤＭＰＡ８２の動作原理を説明するための断面図である。
【図６】ＤＭＰＡの他の例を説明するための断面図である。
【図７】ＤＭＰＡの他の例を説明するための断面図である。
【図８】図７に示すＤＭＰＡの動作を説明するための断面図である。
【符号の説明】
【００５６】
３０  デジタル画像投影装置
４０  光源
４２  カラーホイール
４４  コンデンサレンズ
４６  プリズム全反射変調デバイス
４８  投影用の光学系
８０，２５０  プリズム
８２，１６０，２４０  デジタル・マイクロ画素アクチュエータ（ＤＭＰＡ）
１２０  入射面
１２２，１２４  全反射面
１３０  活性面
１４０，１４２，１４４，１４６，１４８，１９０，１９２，１９４，１９６，１９８  全反射制御板
１７０，１７２，１７４，１７６，１７８  マイクロアクチュエータ
２５２  全反射制御体
２５４  ポリジアセチレンの薄膜
【図１】
2007225910.tif 000003
【図２】
2007225910.tif 000004
【図３】
2007225910.tif 000005
【図４】
2007225910.tif 000006
【図５】
2007225910.tif 000007
【図６】
2007225910.tif 000008
【図７】
2007225910.tif 000009
【図８】
2007225910.tif 000010